(57)【要約】【課題】表示画面の表示内容を読みやすいようにした自動改札機を提供する。【解決手段】自動改札機の本体の筐体上面に利用者に対して所定の内容の案内を行う表示画面を備えた自動改札機において、前記自動改札機の本体の改札通路内の利用者位置を検知する人間検知手段と、検知された利用者位置に対応させて前記表示画面の表示方向を変化させる表示制御手段とを有する。【選択図】　　　図１
2004070549.tif 000002
【特許請求の範囲】
【請求項１】
自動改札機の本体の筐体上面に利用者に対して所定の内容の案内を行う表示画面を備えた自動改札機において、
前記自動改札機の本体の改札通路内の利用者位置を検知する人間検知手段と、
検知された利用者位置に対応させて前記表示画面の表示方向を変化させる表示制御手段と、
を有することを特徴とする自動改札機。
【請求項２】
請求項１に記載の自動改札機において、自動改札機の本体は、非接触券を処理する非接触式自動改札機の本体であることを特徴とする自動改札機。
【請求項３】
請求項１又は２に記載の自動改札機において、表示画面は、自動改札機の本体の改札通路のほぼ中間位置に対応する筐体上面に設けられていることを特徴とする自動改札機。
【発明の詳細な説明】
【０００１】
【発明の属する技術分野】
本発明は自動改札機に係り、特に、利用者に対して所定の内容を効果的に案内できるようにした表示画面を備えたものに関する。
【０００２】
【従来の技術】
従来、自動改札機に設けられている表示画面は、その自動改札機の本体の一方の筐体の上面で、かつ、その自動改札機の本体の改札通路の出口側に設けられている。そして、その表示画面には、投入された乗車券の取出案内やＳＦカードの残額等が表示され、また、入出場（入場又は出場を意味している。）を拒否されたときは、その拒否の理由、例えば、乗越しや有効期間切れ等の案内が行われるように構成されている。
【０００３】
【発明が解決しようとする課題】
しかしながら、上記従来の自動改札機の表示画面は、筐体上面の改札通路の出口側に設けられているため、改札通路入口側から中間付近に位置している利用者（旅客）から離れているために表示画面の表示内容が読みづらく、また、その表示画面の表示方向は、改札通路の通過方向と直交する横書きに固定されているために、利用者がその表示画面の内容を読取るのに不自然な方向となっていた。
【０００４】
そこで、本発明は、上記欠点を解決するためになされたものであって、その目的は、利用者が表示画面の内容を読みやすくした自動改札機を提供することにある。
【０００５】
【課題を解決するための手段】
本発明に係る自動改札機は、上記目的を達成するために、請求項１に記載の発明は、自動改札機の本体の筐体上面に利用者に対して所定の内容の案内を行う表示画面を備えた自動改札機において、前記自動改札機の本体の改札通路内の利用者位置を検知する人間検知手段と、検知された利用者位置に対応させて前記表示画面の表示方向を変化させる表示制御手段と、を有することを特徴としている。
本発明の請求項２に記載の自動改札機は、自動改札機の本体は、非接触券を処理する非接触式自動改札機の本体であることを特徴としている。
本発明の請求項３に記載の自動改札機は、表示画面は、自動改札機の本体の改札通路のほぼ中間位置に対応する筐体上面に設けられていることを特徴としている。
【０００６】
【発明の実施の形態】
以下、本発明の実施の形態を図面に基づいて説明する。図１は、一実施の形態に係る自動改札機を非接触式自動改札機としたときのその非接触式自動改札機の本体（以下、「改札機本体」という。）Ｇの斜視図である。この改札機本体Ｇを構成する一対の筐体Ｈ１　，Ｈ２　（Ｈ２　は後述の図３参照）の一方の筐体Ｈ１　の入口側の上面には、図示しない非接触券と交信するための内部にアンテナａを備えたカバーａ′が設けられている。
【０００７】
改札機本体Ｇの筐体Ｈ１　の改札通路Ｐの入口側には、改札機本体Ｇの使用状態、つまり改札通路Ｐを通過できるか否かを利用者に表示するための表示部１が設けられている。また、図１中、Ｓ，Ｓ…は、改札通路Ｐへの利用者の進入又は改札通路Ｐからの退出、あるいは、通過を検知するための光電式の人間検知器であって、筐体Ｈ１　の側面に所定の間隔を保って設けられている。さらに、この人間検知器は、筐体Ｇ１　の上面の改札通路Ｐと反対側で、その改札通路Ｐの通過方向に沿って設けられたセンサ取付ボックス２内に設けられている反射型センサからなる人間検知器Ｓ′，Ｓ′…によっても構成されている。この反射型センサからなる人間検知器Ｓ′，Ｓ′…は、改札通路Ｐ内の大人の利用者を検知できるように、改札通路Ｐの床面から所定高さ以上の物体（利用者）を検知できるように構成されている。これら人間検知器Ｓ，Ｓ…、Ｓ′，Ｓ′…は、本発明の人間検知手段を構成している。
【０００８】
筐体Ｈ１　の側面には、利用者に対して音声により所定の案内をアナウンスするためのスピーカ３が取付けられているとともに、その筐体Ｈ１　の側面の改札通路Ｐの出口側及び進入側には、ドアＤ１　，Ｄ２　がそれぞれ設けられている。また、筐体Ｈ１　の上面のほぼ中央部（改札通路Ｐのほぼ中間位置）には、利用者に対して文字や記号により所定の案内を行うための表示画面４が取付けられている。この表示画面４は、後述する表示画面制御ユニット２５により表示内容が適宜変化するとともに、その表示画面４の表示方向は利用者位置に対応して変化できるように構成されている。これについては後述する。
【０００９】
図１中、５は、改札機本体Ｇの動作を司どる制御器であり、マイクロコンピュータを中心に構成されている。そして、この制御器５は、非接触券との間でデータの授受を行うための上述のアンテナａを接続したリーダライタＲ（後述の図２参照）が接続されている。
【００１０】
図２は、改札機本体Ｇに設けられている制御器５の電気的構成を示すブロック図である。この制御器５のＣＰＵ２０は、ＲＯＭ２１に記憶されているシステムプログラム及びＲＡＭ２２に記憶されているワーキングデータを用いて演算処理を行って、改札機本体Ｇを統括的に制御できるように構成されている。そして、このＣＰＵ２０には、Ｉ／Ｏユニット２３を介してドアＤ１　，Ｄ２　を駆動制御するドア駆動ユニット２４と、表示画面４の表示内容を駆動制御する表示画面制御ユニット２５と、人間検知器Ｓ，Ｓ…、Ｓ′，Ｓ′…の検知信号を入力するためのセンサアンプを備えた人間検知器処理ユニット２６とが接続されている。なお、このＣＰＵ２０には、係員操作ユニット、あるいは駅制等の上位機器と交信するための通信制御部等が接続されているが、ここでは省略されている。リーダライタＲには、非接触券と交信を行うための複数のアンテナａが接続されている。このアンテナａは、非接触券とデータ授受を行う機能と、非接触券に電力を供給する機能とが備えられている。
【００１１】
上記構成の非接触式自動改札機において、利用者が改札機本体Ｇのアンテナａに非接触券をタッチ又はかざして入出場しようとすると、改札機本体Ｇでは、非接触券に記録されているカードデータの読取りが行われる。そして、読取られたカードデータは、ＣＰＵ２０の演算処理に供される。その演算処理の結果、入出場を許可できるものであれば、ドアＤ１　が開かれて（改札機本体がノーマルオープン型であればそのまま）改札通路Ｐの通過が許可されて入出場処理が行われる。上述の入出場の演算処理の結果、入出場を許可できないときは、ドアＤ１　が閉じられ、スピーカ３及び表示画面４を介して入出場を許可できない旨が利用者に案内される。
【００１２】
以下、図３（ａ）〜（ｄ）を用いて表示画面４の表示制御について説明する。図３においてイは利用者であり、その利用者イから出ている鎖線方向は、その利用者イの視線方向を示している。ロは、利用者イの後続の利用者、いわゆる次客である。また、改札通路Ｐ内の矢印は、利用者イの進行方向を示している。そして、表示画面４中の矢印は、表示画面４の表示内容の表示方向を示し、所定の案内文は、この矢印方向と直交する方向の横書きで表示されている。
【００１３】
図３（ａ）は、利用者イが改札通路Ｐの入口側に位置している例である。この場合、表示画面４の表示方向は、改札通路Ｐの通過方向とほぼ直交する方向に表示される。なお、この表示方向を便宜上０°方向として説明する。
【００１４】
図３（ｂ）は、利用者イが改札通路Ｐの入口と中央部分のほぼ半分まで進んだ状態であり、ちょうど図１の利用者イの位置に対応している。この場合、表示画面４の表示方向は、上述の０°を基準とすると４５°傾いた表示方向となる。
【００１５】
図３（ｃ）は、利用者イが改札通路Ｐのほぼ中央まで進んだ状態、すなわち、表示画面４の位置まで進んだ状態で、表示画面４の表示方向は、上述の０°を基準にして９０°傾いた表示方向となる。
【００１６】
図３（ｄ）は、利用者イが改札通路Ｐの出口側まで進んだ状態であり、この状態で利用者イが表示画面４を見る必要があるのは、何らかの原因でドアＤ１　が閉じられて入出場が拒否された場合である。この場合の表示画面４の表示方向は、上述の０°を基準とすると１８０°傾いた表示方向となる。
【００１７】
上記いずれの表示画面４の表示方向は、利用者イにとって表示画面４の表示内容を自然に読取ることができるように工夫されている。なお、表示画面４の表示方向を利用者イの改札通路Ｐの位置に完全に対応させて連続的に変化させることもできる。しかし、上述の０°、４５°、９０°及び１８０°の４段階程度の変化であれば、表示画面４の表示内容を容易に読取ることができる。
【００１８】
なお、上述の例では、自動改札機として非接触式自動改札機の例を示したが、磁気券を投入して処理する投入型の自動改札機、又は非接触券及び磁気券の両方を処理できる兼用型の自動改札機であってもよい。特に、非接触券専用の非接触式自動改札機の場合は、表示画面４は、アンテナａの近くに設けられるので、改札通路Ｐの出口側まで進んだ利用者でも表示内容を読みやすくなる特長がある。
【００１９】
【発明の効果】
本発明の請求項１に記載の自動改札機は、改札機本体の改札通路内の利用者位置を検知する人間検知手段と、検知された利用者位置に対応させて前記表示画面の表示方向を変化させる表示制御手段とを有するので、表示画面の表示内容を容易に読取ることができる。
本発明の請求項２に記載の自動改札機は、改札機本体を非接触券を処理する非接触式自動改札機の本体としたので、表示画面がアンテナに近くともその表示画面の内容を容易に読取ることができる。
本発明の請求項３に記載の自動改札機は、表示画面は、改札機本体の改札通路のほぼ中間位置に対応する筐体上面に設けられているので、表示画面が中間に位置していてもその表示画面の表示内容を容易に読取ることができる。
【図面の簡単な説明】
【図１】本発明の一実施の形態に係る自動改札機を非接触式自動改札機としたときのその斜視図である。
【図２】制御器の電気的構成を示すブロック図である。
【図３】表示画面の表示方向を示す説明図である。
【符号の説明】
Ｇ　非接触式自動改札機の本体（改札機本体，自動改札機の本体）
４　表示画面
Ｓ，Ｓ′　人間検知器
イ　利用者
【図１】
2004070549.tif 000003
【図２】
2004070549.tif 000004
【図３】
2004070549.tif 000005